(57)【要約】【課題】  過去に記録した番組データを参照して、現在放映されている番組の中からユーザが所望する番組を選択的に受信して、そのサービス内容を享受する。【解決手段】  ＣＰＵ１は、放送された番組データをその番組のＥＰＧデータとともにＨＤＤ４に記憶し、再生開始の操作に応じて、指定された番組データを再生してその映像を表示出力部１１に表示し、その指定された番組データのＥＰＧデータに含まれているキーワードをＲＡＭ３から順次読み出し、放送中の任意のチャンネルの番組を選択し、その番組のＥＰＧデータの中に、ＲＡＭ３から読み出したキーワードと一致するキーワードを検索した場合には、その番組のＥＰＧデータに含まれている詳細データを表示出力部１１に表示する。【選択図】  図１
2006279115.tif 000002
【特許請求の範囲】
【請求項１】
放送された番組データを当該番組に関連する識別データに含まれている第１の番組関連情報とともに第１の記憶手段に記憶する番組記憶制御手段と、
前記第１の記憶手段に記憶された番組データを再生してその映像を所定の表示手段に表示する再生制御手段と、
番組データに関連する識別データに含まれている１種類以上のキーワードを第２の記憶手段に記憶するデータ記憶制御手段と、
前記再生制御手段による番組データの再生に対応してキーワードを前記第２の記憶手段から読み出すデータ読出手段と、
放送中の任意のチャンネルの番組を選択し、当該番組に関連する識別データの中に前記データ読出手段によって読み出されたキーワードと一致するキーワードを検索した場合には、当該番組に関連する識別データに含まれている第２の番組関連情報を前記表示手段に表示するデータ検索手段と、
を備えた番組記録再生装置。
【請求項２】
前記データ検索手段は、前記再生制御手段によって再生された映像データとともに、前記第１の番組関連情報および前記第２の番組関連情報の少なくとも一方を表示することを特徴とする請求項１に記載の番組記録再生装置。
【請求項３】
コンピュータに、
放送された番組データを当該番組に関連する識別データに含まれている第１の番組関連情報とともに第１の記憶手段に記憶するステップＡと、
前記第１の記憶手段に記憶された番組データを再生してその映像を所定の表示手段に表示するステップＢと、
番組データに関連する識別データに含まれている１種類以上のキーワードを第２の記憶手段に記憶するステップＣと、
前記ステップＢによる番組データの再生に対応してキーワードを前記第２の記憶手段から読み出すステップＤと、
放送中の任意のチャンネルの番組を選択し、当該番組に関連する識別データの中に前記ステップＤによって読み出されたキーワードと一致するキーワードを検索した場合には、当該番組に関連する識別データに含まれている第２の番組関連情報を前記表示手段に表示するステップＥと、
を実行させる番組記録再生処理のプログラム。
【請求項４】
前記ステップＥは、前記ステップＢによって再生された映像データとともに、前記第１の番組関連情報および前記第２の番組関連情報の少なくとも一方を表示することを特徴とする請求項３に記載の番組記録再生処理のプログラム。
【発明の詳細な説明】
【技術分野】
【０００１】
本発明は、番組記録再生装置および番組記録再生処理のプログラムに関し、特に、番組データとともにその番組に関連する識別データを記録する番組記録再生装置および番組記録再生処理のプログラムに関するものである。
【背景技術】
【０００２】
ディジタルテレビ放送としては、現在、ＢＳ（放送衛星）ディジタル放送およびＣＳ（通信衛星）ディジタル放送が実施されているが、さらに、２００３年１２月から一部の地域で放送が開始された地上波ディジタル放送は、２０１１年以降は全国の全ての地域においてディジタル化される。このようなディジタルテレビ放送においては、アナログテレビ放送のように映像データにニュース速報や字幕スーパーを付加して放送せずに、番組の映像・音声データとは別に、番組に関連する制御データやニュース速報の文字などをデータ放送としてパケット化して送信する。受信側では、番組データとともにその番組に関連する制御データをパケットデータとして記録することができる。
例えば、ある特許文献によるディジタル放送のための記録再生装置および方法の提案においては、受信したパケットデータをデスクランブルした後、パケットの状態のまま記録するようにしている。したがって、番組情報を示すための制御データ、現在時刻を示す制御データ、パケットを識別する制御データなどを含めて記録することができるので、制御データに基づく衛星放送の機能を損なうことなく記録再生を行うことができる。すなわち、インタラクティブ性のあるサービス内容を復元することができる。（特許文献１参照）
【特許文献１】特開２０００−２４３０２９号公報
【発明の開示】
【発明が解決しようとする課題】
【０００３】
しかしながら、上記特許文献１においては、インタラクティブ性のあるサービス内容を復元することは可能であるが、記録した番組データと現在放映されている番組データとを関連づけて、現在放映されている番組の中から所望の番組を選択的に受信して、そのサービス内容を享受することはできない。
本発明は、このような従来の課題を解決するためのものであり、過去に記録した番組データを参照して、現在放映されている番組の中からユーザが所望する番組を選択的に受信して、そのサービス内容を享受することを目的とする。
【課題を解決するための手段】
【０００４】
請求項１に記載の番組記録再生装置は、放送された番組データを当該番組に関連する識別データ（実施形態においては、ＥＰＧデータに相当する）に含まれている第１の番組関連情報（実施形態においては、録画番組の詳細データに相当する）とともに第１の記憶手段（実施形態においては、図１のＨＤＤ４に相当する）に記憶する番組記憶制御手段（実施形態においては、図１のＣＰＵ１に相当する）と、第１の記憶手段に記憶された番組データを再生してその映像を所定の表示手段（実施形態においては、図１の表示出力部１１に相当する）に表示する再生制御手段（実施形態においては、図１のＣＰＵ１に相当する）と、番組データに関連する識別データに含まれている１種類以上のキーワードを第２の記憶手段（実施形態においては、図１のＲＡＭ３に相当する）に記憶するデータ記憶制御手段（実施形態においては、図１のＣＰＵ１に相当する）と、再生制御手段による番組データの再生に対応してキーワードを第２の記憶手段から読み出すデータ読出手段（実施形態においては、図１のＣＰＵ１に相当する）と、放送中の任意のチャンネルの番組を選択し、当該番組に関連する識別データの中にデータ読出手段によって読み出されたキーワードと一致するキーワードを検索した場合には、当該番組に関連する識別データに含まれている第２の番組関連情報（実施形態においては、現在番組の詳細データに相当する）を表示手段に表示するデータ検索手段（実施形態においては、図１のＣＰＵ１に相当する）と、を備えた構成になっている。
【０００５】
請求項１の番組記録再生装置において、請求項２に記載したように、データ検索手段は、再生制御手段によって再生された映像データとともに、第１の番組関連情報および前記第２の番組関連情報の少なくとも一方を表示するような構成にしてもよい。
【０００６】
請求項３に記載の番組記録再生処理のプログラムは、放送された番組データを当該番組に関連する識別データ（実施形態においては、ＥＰＧデータに相当する）に含まれている第１の番組関連情報（実施形態においては、録画番組の詳細データに相当する）とともに第１の記憶手段（実施形態においては、図１のＨＤＤ４に相当する）に記憶するステップＡと、第１の記憶手段に記憶された番組データを再生してその映像を所定の表示手段（実施形態においては、図１の表示出力部１１に相当する）に表示するステップＢと、番組データに関連する識別データに含まれている１種類以上のキーワードを第２の記憶手段（実施形態においては、図１のＲＡＭ３に相当する）に記憶するステップＣと、ステップＢによる番組データの再生に対応してキーワードを第２の記憶手段から読み出すステップＤと、放送中の任意のチャンネルの番組を選択し、当該番組に関連する識別データの中にステップＤによって読み出されたキーワードと一致するキーワードを検索した場合には、当該番組に関連する識別データに含まれている第２の番組関連情報（実施形態においては、現在番組の詳細データに相当する）を表示手段に表示するステップＥと、をコンピュータに実行させる。
ステップＡないしステップＥは、実施形態においては、図５ないし図７において実行されるＣＰＵ１の処理に相当する。
【０００７】
請求項３の番組記録再生処理のプログラムにおいて、請求項４に記載したように、ステップＥは、ステップＢによって再生された映像データとともに、第１の番組関連情報および第２の番組関連情報の少なくとも一方を表示するような構成にしてもよい。
【発明の効果】
【０００８】
本発明の番組記録再生装置および番組記録再生処理のプログラムによれば、過去に記録した番組データを参照して、現在放映されている番組の中からユーザが所望する番組を選択的に受信して、そのサービス内容を享受できるという効果が得られる。
【発明を実施するための最良の形態】
【０００９】
以下、本発明による番組記録再生装置の実施形態について、図を参照して説明する。
図１は、実施形態における番組記録再生装置の構成を示すブロック図である。ＣＰＵ１は、システムバスを介してＲＯＭ２、ＲＡＭ３、ＨＤＤ（ハードディスクドライブ）４、ユーザＩ／Ｆ（インタフェース）部５、通信部６、チューナ部８、ＯＦＤＭ（直交周波数分割多重）復調部９、デコーダ部１０、表示出力部１１に接続され、これら各部との間でデータおよび指示を授受して、この記録再生装置全体を制御する。
【００１０】
ＲＯＭ２は、ＣＰＵ１によって実行されるプログラムや初期データなどを予め記憶している。ＲＡＭ３は、ＣＰＵ１のワークエリアであり、プログラムの実行に必要なレジスタ、フラグ、変数などのエリアが設けられている。ＨＤＤ４は、ハードディスクおよびその駆動回路を備えており、記録指令に応じて番組データの映像および音声を記憶する。ユーザＩ／Ｆ部５は、例えば、スイッチ群を有するリモコンであり、ユーザの操作に応じて、チャンネルの選択指示、番組データの記録指示や再生指示などをＣＰＵ１に入力する。通信部６は、ネットワークＮを介して外部のサーバ、例えば、番組の録画を代行するサービス会社のサーバと通信する。
【００１１】
チューナ部８は、アンテナ７から受信した放送局の電波の中から、ＣＰＵ１からのチャンネル選択信号に応じたチャンネルのＯＦＤＭのテレビ信号を選択して出力する。ＯＦＤＭ復調部９は、チューナ部８によって出力されたＯＦＤＭのテレビ信号を復調して、符号化ディジタルテレビ信号を出力する。デコーダ部１０は、ＯＦＤＭ復調部９から出力された符号化ディジタルテレビ信号を復号化し、音声信号、映像信号、文字情報に分離して、音声信号を音声出力部１２に出力し、映像信号および文字情報を表示出力部１１に出力する。文字情報の中には、番組に関連する識別データであるＥＰＧ（Electronic Program Guide ：電子番組案内）データが含まれている。さらに、ＥＰＧデータには、その番組に関連する各種のキーワードが含まれている。これらのキーワードは、番組データとともにＥＰＧデータとしてＨＤＤ４に記録されるとともに、ＥＰＧデータから抽出したキーワードをＲＡＭ３に記憶する。
【００１２】
図２は、ＲＡＭ３のエリアに記憶される比較用のキーワードを示す図である。記憶されるキーワードには、番組のジャンルを表わすgenre keywords、サブジャンルを表わすsub- genre keywords、番組名を表わすprogram name keywords、出演者名を表わすcast keywordsがある。genre keywordsとしては、スポーツ番組、ニュース、ドラマ、映画、音楽番組などがあり、sub- genre keywordsとしては、例えば、スポーツ番組の場合には、サッカー、野球、ゴルフ、モータースポーツ、テニスなどがある。
【００１３】
図３は、録画データとともにＨＤＤ４に記憶されて、再生の際に図２の比較用のキーワードのエリアとは別のＲＡＭ３のエリアに記憶される複数のＥＰＧデータであるepgdata[1]、epgdata[2]……を示す図である。各ＥＰＧデータには、番組先頭からの時刻を表わすtime 、番組のジャンルを表わすgenre_kw、サブジャンルを表わすsub_genre_ kw、番組名を表わすprogram_kw、出演者名を表わすcast_kw 、番組の概要や場面解説、出演者のプロフィール等の詳細なデータを表わすdetail が含まれる。
【００１４】
次に、図１の番組記録再生装置におけるＣＰＵ１の動作について、図４ないし図７に示すフローチャートに基づいて説明する。
図４は、ＣＰＵ１のメインルーチンのフローチャートである。所定の初期化処理（ステップＳＡ１）の後、設定処理（ステップＳＡ２）、録画処理（ステップＳＡ３）、再生処理（ステップＳＡ４）、その他の処理（ステップＳＡ５）を繰り返し実行する。
【００１５】
設定処理においては、ユーザＩ／Ｆ部５の操作に応じて、キーワードの取得モードや表示モードなどを設定する。取得モードにおいては、例えば、番組のジャンル、サブジャンル、番組名および出演者名のキーワードを全て取得する「厳密な取得」にするか、ジャンルおよび出演者名のキーワードのみを取得する「緩やかな取得」にするかを設定する。表示モードの設定においては、表示出力部１１の画面を分割せずに１画面表示にするか、２つに分割して２画面表示にするか、１画面表示又は２画面表示を自動切換にするかを設定する。表示モードの設定は、ＲＡＭ３のレジスタｄｉｓｐ
にストアされる。disp＝０は１画面表示、disp＝２は２画面表示、disp＝１は自動切換表示である。
【００１６】
図５は、メインルーチンにおけるステップＳＡ３の録画処理のフローチャートである。ユーザＩ／Ｆ部５から録画開始の指示がされたか否かを判別し（ステップＳＢ１）、この指示がされない場合にはメインルーチンに戻るが、この指示がされたときは、ＥＰＧデータを指定する変数idxを１にセットし、番組開始からの時刻time を０にセットして初期化する（ステップＳＢ２）。この後、画像データおよび音声データをＨＤＤ４に記録する（ステップＳＢ３）。記録している間に、ＥＰＧデータの取得タイミングに達したか否かを判別する（ステップＳＢ４）。取得タイミングに達したときは、ＥＰＧデータを取得し（ステップＳＢ５）、設定処理において設定されている取得モードに基づいて、ジャンル、サブジャンル、番組名および出演者名を、又は、ジャンルおよび出演者名を、キーワードとして決定する（ステップＳＢ６）。キーワードの決定は、例えば、キーワード候補の単語データをＲＯＭ２又はＲＡＭ３にあらかじめ格納しておき、ＥＰＧデータのテキストデータ中で一致した単語データを抽出することにより行われる。次に、ＥＰＧデータの詳細なデータに変化があるか否かを判別し（ステップＳＢ７）、変化がある場合には、図３に示したように、変数idx で指定するepgdata[idx] を作成し、idx をインクリメントする（ステップＳＢ８）。すなわち、epgdata[idx]において、timeに番組開始からの時刻が、genre_kwに決定されたジャンルが、sub_genre_kwに決定されたサブジャンルが、program_kwに決定された番組名が、cast_kwに決定された出演者名が、detailにＥＰＧデータから取得された詳細データが、それぞれ設定される。ステップＳＢ８の処理の後、又は、ステップＳＢ４においてＥＰＧデータの取得タイミングでない場合、若しくは、ステップＳＢ７においてＥＰＧデータに変化がない場合には、time を更新する（ステップＳＢ９）。次に、ユーザＩ／Ｆ部５から録画終了の指示がされたか否かを判別し（ステップＳＢ１０）、この指示がされない場合には、ステップＳＢ３に移行して画像データおよび音声データの記録を続行する。一方、録画終了の指示がされたときは、図４のメインルーチンに戻る。
【００１７】
図６は、メインルーチンにおけるステップＳＡ４の再生処理のフローチャートである。ユーザＩ／Ｆ部５から再生開始の指示がされたか否かを判別し（ステップＳＣ１）、この指示がされない場合にはメインルーチンに戻るが、この指示がされたときは、ＥＰＧデータを指定する変数idxを１にセットし、番組開始からの時刻time を０にセットして初期化する（ステップＳＣ２）。この後、画像データおよび音声データをＨＤＤ４から読み出して再生する（ステップＳＣ３）。再生している間に、ＥＰＧデータの取得タイミングに達したか否かを判別する（ステップＳＣ４）。取得タイミングに達したときは、time の時刻がidx で現在指定しているepgdata[idx] の次のepgdata[idx+1]のtime の時刻以下であるか否かを判別する（ステップＳＣ５）。time の時刻がepgdata[idx+1]のtime の時刻を超えた場合には、idx をインクリメントして（ステップＳＣ６）、ステップＳＣ５において、再びtime の時刻がepgdata[idx+1]のtime の時刻以下であるか否かを判別する。time の時刻がepgdata[idx+1]のtime の時刻以下である場合には、timeに対応するepgdata[idx]が定められたので、放映中のチャンネルのＥＰＧ表示処理を行う（ステップＳＣ７）。このＥＰＧ表示処理の後、又は、ステップＳＣ４においてＥＰＧデータの取得タイミングでない場合には、再生した記録データの画像データを表示する（ステップＳＣ８）。そして、time を更新する（ステップＳＣ９）。次に、ユーザＩ／Ｆ部５から再生終了の指示がされたか否かを判別し（ステップＳＣ１０）、この指示がされない場合には、ステップＳＣ３に移行して画像データおよび音声データの読み出しを続行する。一方、再生終了の指示がされたときは、図４のメインルーチンに戻る。
【００１８】
図７は、図６の再生処理におけるステップＳＣ７のＥＰＧ表示処理のフローチャートである。受信するチャンネルを指定する変数nを１にセットして（ステップＳＤ１）、ステップＳＤ２からステップＳＤ６までのループ処理の中で、再生した記録データのepgdata[idx]に一致するＥＰＧデータの番組を放送しているチャンネルを捜す。すなわち、チャンネルch[n]のＥＰＧデータを取得し（ステップＳＤ２）、設定処理（図４のステップＳＡ２）において設定されている取得モードに基づいて、取得したＥＰＧデータのキーワードであるジャンル、サブジャンル、番組名および出演者名を、又は、ジャンルおよび番組名を、決定する（ステップＳＤ３）。なお、キーワードの決定は、録画処理（図５）のステップＳＢ６と同様の方法で行われる。また、チャンネルch[n]のＥＰＧデータから取得した詳細データを、ＲＡＭ３上の領域detail２に格納しておく。次に、ステップＳＤ３で決定したキーワードと、epgdata[idx]の対応するキーワードが一致するか否かを判別する（ステップＳＤ４）。キーワードが一致しない場合には、nの値をインクリメントし（ステップＳＤ５）、nの値がチャンネル数CHMAXを超えたか否かを判別する（ステップＳＤ６）。nの値がCHMAX以下である場合には、ステップＳＤ２に移行して、上記ループ処理を繰り返す。
【００１９】
一方、nの値がCHMAXを超えた場合、すなわち、全てのチャンネルにおいてキーワードが一致しない場合には、表示モードの変数dispの値が２（２画面表示モード）であるか否かを判別する（ステップＳＤ７）。dispの値が０（１画面表示モード）又は１（自動変換表示モード）である場合には、１画面レイアウトを設定して、録画詳細データを表示出力部１１に表示する（ステップＳＤ８）。図８は、１画面レイアウトの表示フォーマットを示している。この図に示すように、録画データの映像とともに録画詳細データ、すなわちepgdata[idx]のdetailに格納されている、番組の概要や場面解説、出演者のプロフィール等を表示する。
【００２０】
ステップＳＤ７において、dispの値が２である場合には、２画面レイアウトを設定して、録画データ画面に録画詳細データ（epgdata[idx]のdetail）を表示出力部１１に表示する（ステップＳＤ９）。図９は、２画面レイアウトの表示フォーマットを示している。表示出力部１１は記録データ用の画面領域Ｄ１と現放送用の画面領域Ｄ２とに分割されている。しかし、この場合には、全てのチャンネルにおいて一致するキーワードがないので、画面領域Ｄ１に録画データの映像および録画詳細データを表示するだけで、画面領域Ｄ２には何も表示されない。このような表示によって、全てのチャンネルにおいて一致するキーワードがないことをユーザに明示することができる。
【００２１】
ステップＳＤ２からステップＳＤ６までのループ処理中に、ステップＳＤ４において、記録データのepgdata[idx]のキーワードと一致するＥＰＧデータの番組を放送しているチャンネルch[n]を検索したときは、表示モードの変数dispの値が０（１画面表示モード）であるか否かを判別する（ステップＳＤ１０）。dispの値が０である場合には、１画面レイアウトを設定して、ch[n]の詳細データを表示する（ステップＳＤ１１）。すなわち、図８の画面に録画詳細データの代わりに、ch[n]のＥＰＧデータから取得した詳細データ（ステップＳＤ３で作成したdetail２）を表示する。一方、disp
の値が１（自動変換表示モード）又は２（２画面表示モード）である場合には、２画面レイアウトを設定して、図９に示すように、表示出力部１１の画面領域Ｄ１に映像および録画詳細データ（epgdata[idx]のdetail）を表示し、現放送用の画面領域Ｄ２にch[n]の詳細データ（detail２）を表示する（ステップＳＤ１２）。
ステップＳＤ８、９、１１、および１２のいずれかにおいて、データを表示した後は、図６の再生処理のフローチャートに戻る。
【００２２】
以上のように、この実施形態によれば、ＣＰＵ１は、放送された番組データをその番組に関連するＥＰＧデータとともにＨＤＤ４に記憶し、記憶した番組データの中から、ユーザＩ／Ｆ部５の再生開始の操作に応じて、指定された番組データを再生してその映像を表示出力部１１に表示し、その指定された番組データに関連するＥＰＧデータに含まれている１種類以上のキーワードを、時刻データtimeに従ってＲＡＭ３から読み出し、放送中の任意のチャンネルの番組を選択し、その番組に関連するＥＰＧデータの中に、ＲＡＭ３から読み出したキーワードと一致するキーワードを検索した場合には、その番組に関連するＥＰＧデータに含まれている詳細データを表示出力部１１に表示する。
したがって、過去に記録した番組データを参照して、現在放映されている番組の中からユーザが所望する番組を選択的に受信して、そのサービス内容を享受することができる。
【００２３】
この場合において、ＣＰＵ１は、設定されている表示モードが２画面表示モードである場合には、記録した番組に関連したＥＰＧデータに含まれている詳細データを再生した映像とともに表示出力部１１の画面領域Ｄ１に表示し、現放送のチャンネルの番組に関連したＥＰＧデータに含まれている詳細データを表示出力部１１の画面領域Ｄ２に表示する。
したがって、ユーザが所望する番組のサービス内容を容易に享受することができる。
【００２４】
なお、上記実施形態においては、ＲＯＭ２にあらかじめ記憶された番組記録再生処理のプログラムをＣＰＵ１が実行する装置の発明について説明したが、フレキシブルディスク（ＦＤ）、ＣＤ、ＭＤ、メモリカードなどの外部記憶媒体に記録されているプログラムをＨＤＤ４又はその他の不揮発性メモリにインストールしたり、ネットワークＮからダウンロードしたプログラムを不揮発性メモリにインストールして、そのプログラムをＣＰＵ１が実行することも可能である。この場合には、プログラムの発明やそのプログラムを記録した記録媒体の発明を実現できる。
【００２５】
すなわち、本発明による番組記録再生処理のプログラムは、
コンピュータに、放送された番組データを当該番組に関連する識別データに含まれている第１の番組関連情報とともに第１の記憶手段に記憶するステップＡと、前記第１の記憶手段に記憶された番組データを再生してその映像を所定の表示手段に表示するステップＢと、番組データに関連する識別データに含まれている１種類以上のキーワードを第２の記憶手段に記憶するステップＣと、前記ステップＢによる番組データの再生に対応してキーワードを前記第２の記憶手段から読み出すステップＤと、放送中の任意のチャンネルの番組を選択し、当該番組に関連する識別データの中に前記ステップＤによって読み出されたキーワードと一致するキーワードを検索した場合には、当該番組に関連する識別データに含まれている第２の番組関連情報を前記表示手段に表示するステップＥと、を実行させる。
【００２６】
前記ステップＥは、前記ステップＢによって再生された映像データとともに、前記第１の番組関連情報および前記第２の番組関連情報の少なくとも一方を表示する。
【図面の簡単な説明】
【００２７】
【図１】本発明の実施形態におけるの構成を示すブロック図。
【図２】図１のＲＡＭ３に記憶されるキーワードを示す図。
【図３】図１のＨＤＤ４に記録されて、再生時にＲＡＭ３に記憶されるＥＰＧデータの内容を示す図。
【図４】図１のＣＰＵのメインルーチンのフローチャート。
【図５】図４における録画処理のフローチャート。
【図６】図４における再生処理のフローチャート。
【図７】図６におけるＥＰＧ表示処理のフローチャート。
【図８】図１の表示出力部に表示される１画面レイアウトを示す図。
【図９】図１の表示出力部に表示される２画面レイアウトを示す図。
【符号の説明】
【００２８】
１  ＣＰＵ
２  ＲＯＭ
３  ＲＡＭ
４  ＨＤＤ
５  ユーザＩ／Ｆ部
６  通信部
７  アンテナ
８  チューナ部
９  ＯＦＤＭ復調部
１０  デコーダ部
１１  表示出力部
１２  音声出力部
Ｎ  ネットワーク
【図１】
2006279115.tif 000003
【図２】
2006279115.tif 000004
【図３】
2006279115.tif 000005
【図４】
2006279115.tif 000006
【図５】
2006279115.tif 000007
【図６】
2006279115.tif 000008
【図７】
2006279115.tif 000009
【図８】
2006279115.tif 000010
【図９】
2006279115.tif 000011